(57)【要約】【課題】クリップを押さえずに複数のパネルを連結する作業を行ってもクリップが抜けることがなく、且つ連結された複数のパネルの両面からクリップの係止脚が突き出ることのない固定用クリップを提供する。【解決手段】クリップ１は、一のパネルを固定するための第１係止脚４，４と、他のパネルを固定するための第２係止脚５，５とを、共に頭部３よりも挿入方向側に備えているため、頭部３側においてはいずれの係止脚も連結したパネルの表面から突き出ることがない。そして、第１係止脚４，４が胴部２側に向けて撓んでも、第２係止脚５，５に触れてこれを撓ませることがないため、クリップ１を押さえずにパネルを連結する作業を行ってもクリップ１が抜けることがなく、容易にパネルの連結を行うことができる。【選択図】図１
2008014376.tif 000002
【特許請求の範囲】
【請求項１】
取付孔が穿設された複数のパネルの前記取付孔に自身の一部を挿入し、前記複数のパネルを連結するクリップであって、
前記取付孔に挿入される胴部と、
当該胴部の前記クリップの挿入方向後端側の端部に設けられた頭部と、
前記胴部の前記挿入方向先端部から前記頭部側へ向けて末広がり状に延出し、前記胴部に向けて撓むことができる一対の第１係止脚と、
前記胴部の前記第１係止脚が延出される位置よりも前記頭部側の位置から延出し、前記胴部に向けて撓むことができる一対の第２係止脚と
を備え、
一対の前記第１係止脚の端部間の距離よりも、一対の前記第２係止脚の端部間の距離が短く、
前記第１係止脚及び前記第２係止脚は、前記第１係止脚の撓み方向を含む第１仮想平面と、前記第２係止脚の撓み方向を含む第２仮想平面とが互いに交差するようにそれぞれ配設され、
一対の前記第２係止脚の両端部と前記頭部とで一のパネルを挟んで固定し、さらに当該一のパネルと一対の前記第１係止脚の両端部とで前記一のパネルとは異なる他のパネルを挟んで固定して、複数のパネルを連結することを特徴とするクリップ。
【請求項２】
前記第１仮想平面と前記第２仮想平面とが直角に交差することを特徴とする請求項１に記載のクリップ。
【発明の詳細な説明】
【技術分野】
【０００１】
本発明は、複数のパネルを連結するためのクリップに関する。
【背景技術】
【０００２】
従来、第１パネルに穿設された取付孔にクリップを固定しておき、第２パネルに穿設された取付孔にそのクリップを挿入して固定することで、２枚のパネルを連結させるパネルの固定方法が知られている。このクリップを用いることにより、ボルトやナット等の取付部材を減少させると共に、取付孔にクリップを挿入するだけで２枚のパネルを連結させることができる。このクリップは、例えば図８に示すように、取付孔１１２，１１４への挿入時にはその係止脚１０２が取付孔１１２，１１４を通り抜ける幅となるまで内側に撓む。そして、係止脚１０２の端部１０３と頭部１０４との間に第１パネル１１１及び第２パネル１１３を狭持して、２枚のパネルを連結する。ここで、第１パネル１１１に固定されたクリップ１０１に、さらに第２パネル１１３の取付孔１１４を挿入する際、係止脚１０２が内側に撓んで係止脚１０２の幅と第１パネル１１１の取付孔１１２の幅とが等しくなると、固定されていたクリップ１０１が第１パネル１１１の取付孔１１２から抜けてしまうため、クリップ１０１を図８における上方から押さえておく必要があった。
【０００３】
この第２パネル１１３の取付時にクリップを上方から押さえる手間を省くために、例えば、第１パネルを固定するための係止脚と、第２パネルを固定するための係止脚とを、相反する向きに別々に設けたクリップが提案されている（例えば、特許文献１参照）。このクリップによると、２枚のパネルがそれぞれ別々の係止脚によって固定されるため、第２パネルの取付孔にクリップを挿入する過程でクリップを押さえなくても、固定されていたクリップが第１パネルの取付孔から抜けることがない。
【特許文献１】特開２００５−２３３２７９号公報
【発明の開示】
【発明が解決しようとする課題】
【０００４】
しかしながら、特許文献１に記載のクリップでは、２つの係止脚が相反する向きに別々に設けられているため、連結されたパネルの両面からクリップの係止脚が突き出る。従って、パネルに隣接若しくは配設する物の位置や形状に制約が出てしまうという問題点があった。また、露出した係止脚によって見栄えを損なう可能性があるという問題点があった。
【０００５】
本発明は上記課題を解決するためになされたものであり、クリップを押さえずに複数のパネルを連結する作業を行ってもクリップが抜けることがなく、且つ連結された複数のパネルの両面からクリップの係止脚が突き出ることのない固定用クリップを提供することを目的とする。
【課題を解決するための手段】
【０００６】
上記目的を達成するために、請求項１に係る発明のクリップは、取付孔が穿設された複数のパネルの前記取付孔に自身の一部を挿入し、前記複数のパネルを連結するクリップであって、前記取付孔に挿入される胴部と、当該胴部の前記クリップの挿入方向後端側の端部に設けられた頭部と、前記胴部の前記挿入方向先端部から前記頭部側へ向けて末広がり状に延出し、前記胴部に向けて撓むことができる一対の第１係止脚と、前記胴部の前記第１係止脚が延出される位置よりも前記頭部側の位置から延出し、前記胴部に向けて撓むことができる一対の第２係止脚とを備え、一対の前記第１係止脚の端部間の距離よりも、一対の前記第２係止脚の端部間の距離が短く、前記第１係止脚及び前記第２係止脚は、前記第１係止脚の撓み方向を含む第１仮想平面と、前記第２係止脚の撓み方向を含む第２仮想平面とが互いに交差するようにそれぞれ配設され、一対の前記第２係止脚の両端部と前記頭部とで一のパネルを挟んで固定し、さらに当該一のパネルと一対の前記第１係止脚の両端部とで前記一のパネルとは異なる他のパネルを挟んで固定して、複数のパネルを連結することを特徴とする。
【０００７】
また、請求項２に係る発明のクリップは、請求項１に記載の発明の構成に加え、前記第１仮想平面と前記第２仮想平面とが直角に交差することを特徴とする。
【発明の効果】
【０００８】
請求項１に係る発明のクリップでは、一のパネルを狭持するための第２係止脚と、一のパネルとは異なる他のパネルを固定するための第１係止脚とが、共に頭部よりも挿入方向側に設けられている。従って、連結されたパネルの一方の面からは係止脚よりも平らな頭部が出るのみであるため、パネルの両面から係止脚が突き出る場合に比べて、パネルに隣接若しくは配設する物の位置や形状にかかる制約が少なく、見栄えを損なうこともない。また、第１係止脚の撓み方向を含む第１仮想平面と、第２係止脚の撓み方向を含む第２仮想平面とが交差するように、第１係止脚及び第２係止脚が配設される。従って、第１係止脚が胴部側に撓んだ場合でも、第１係止脚と第２係止脚とが触れて第２係止脚のパネルへの係止が外れることがないため、クリップを押さえなくても簡単に複数のパネルを連結することができる。
【０００９】
また、請求項２に係る発明のクリップでは、請求項１に記載の発明の効果に加え、第１係止脚の撓み方向を含む第１仮想平面と、第２係止脚の撓み方向を含む第２仮想平面とが直角に交差するため、第１係止脚が胴部側に撓んだ場合の第２係止脚との接触を確実に防止することができる。
【発明を実施するための最良の形態】
【００１０】
以下、本発明の一実施の形態であるクリップ１について、図面に基づいて説明する。図１はクリップ１を左手斜め前方から見た図であり、図２はクリップ１の底面図であり、図３はクリップ１の図１におけるＡ−Ａ線矢視方向断面図である。また、図４はクリップ１の正面図であり、図５は第１パネル１３及び第２パネル１５を連結するクリップ１の図２におけるＤ−Ｄ線矢視方向断面図であり、図６は第１パネル１３及び第２パネル１５を連結したクリップ１の図２におけるＥ−Ｅ線矢視方向断面図である。尚、このクリップ１は、取付孔が穿設された複数のパネルを連結するために用いられる。例えば、アンテナ端子を取り付けるためのブラケットを自動車のボデーに固定する際に使用される。
【００１１】
まず、図１を参照して、クリップ１の全体構造について概略的に説明する。クリップ１は合成樹脂材料で一体形成されており、可撓性を有する。そして、一定の厚みを有した正面視略矩形の板状体である胴部２と、当該胴部２の挿入方向後端側の端部（図１の上方端部）に設けられる略円板形状の頭部３と、胴部２の挿入方向先端部９（図１の下方端部）から頭部３側へ向けて末広がり状に延出する一対の第１係止脚４，４と、胴部２の挿入方向先端部９よりも頭部３側の位置から外側に向けて延出する一対の第２係止脚５，５とから構成されている。さらに、胴部２の頭部３側には、パネルのがたつきを低減するためのストッパ６が形成されている。
【００１２】
次に、頭部３について説明する。図２に示すように、頭部３は底面視円形であり、この頭部３の直径Ａは第１係止脚４，４の先端間の距離Ｂより長く形成されている。さらに、図５及び図６に示すように、頭部３が第１パネル１３の取付孔１４の縁部に係止するように、直径Ａは取付孔１４の直径よりも長く形成されており、頭部３の縁部１１は下方に膨らむように湾曲した形状に形成されているため、平面である場合に比べて強度が増している。また、図１に示すように、平面視円形である頭部３の上側中央部には、上方に向けて緩やかに湾曲する平面視円形の湾曲部１０が形成されており、指等によってクリップ１を押し込みやすくなっている。
【００１３】
次に、ストッパ６について説明する。図３に示すように、ストッパ６は、平面視円形且つ正面視矩形である円柱状の部材から２つの略扇形の切欠部１２，１２が切り欠かれて形成されている。この切欠部１２，１２はストッパ６の中心の位置Ｏに対して対称に形成されており、２つの切欠部１２，１２の切断面は、共に板状体である胴部２の板面と平行な切断面と、胴部２の板面に対して垂直な切断面とからなる。また、後述する第１係止脚４，４に形成された係止爪８，８が切欠部１２，１２に入り込む。そして、クリップ１のパネルへの固定時には、クリップ１がパネルの板面に対して平行方向に移動した際に、パネルの取付孔の内周面にストッパ６が当接するため、パネルと平行方向のクリップ１のがたつきが少なくなる。さらに、ストッパ６を設けることで胴部２及び頭部３の強度が増している。
【００１４】
次に、第１係止脚４，４について説明する。図１に示すように、側面視錨脚形状である一対の第１係止脚４，４は、胴部２の挿入方向先端部９から頭部３側へ向けて末広がり状に延設されている２つの板状体からなり、その端部側には、第２パネル１５の取付孔１６（図６参照）の縁部に係合する、胴部２に向けて緩やかに膨らんだ形状の係止肩７，７が形成されている。さらに、係止肩７，７の胴部２側の縁部からは、板幅方向における中央から一方の端部までを起点として、略三角形状の薄い板状体であり可撓性を有する係止爪８，８が、第１係止脚４，４の延設方向に突出している。この係止爪８，８は、第１係止脚４，４が胴部２側に撓んだ際にストッパ６の切欠部１２，１２（図３参照）に入り込むため、第１係止脚４，４の撓みがストッパ６によって制限されることがない。
【００１５】
次に、第２係止脚５，５について説明する。図１に示すように、板状体である胴部２の厚みと同じ厚みを有する一対の第２係止脚５，５は、胴部２の挿入方向先端部９よりも頭部３側の位置から、胴部２から遠ざかる方向に向けて突出している。また、図４に示すように、第２係止脚５，５の形状は略三角柱状であり、矩形である１つの側面が胴部２の両側面に固定されると共に、第２係止脚５，５の先端は胴部２に向けて僅かに撓むことができる。そして、図２に示すように、一対の第２係止脚５，５の先端間の距離Ｃは、一対の第１係止脚４，４の先端間の距離Ｂよりも短く形成されており、第１係止脚４，４の撓み方向を含む仮想平面（図２のＥ−Ｅ線を含んで紙面と直角に交わる平面）と、第２係止脚５，５の撓み方向を含む仮想平面（図２のＤ−Ｄ線を含んで紙面と直角に交わる平面）とが直角に交差するように形成されている。従って、第１係止脚４，４が大きく撓んだ場合でも、第１係止脚４，４と第２係止脚５，５とが触れることがない。
【００１６】
次に、図５及び図６を参照して、上記構成からなるクリップ１を用いた、第１パネル１３と第２パネル１５との連結構造について説明する。第１パネル１３には、クリップ１の頭部３の直径Ａ（図２参照）よりも直径が小さい円形の取付孔１４が穿設されている。まず、クリップ１を第１パネル１３の取付孔１４に取り付ける。クリップ１の胴部２が取付孔１４に挿入されるように頭部３の湾曲部１０を押し込むと（図５における矢印Ｐ方向）、第１係止脚４，４が胴部２側に撓みながら取付孔１４の縁部に沿って摺動する。そして、第２係止脚５，５が第１パネル１３に達すると、第２係止脚５，５が胴部２側に撓みながら取付孔１４の縁部に沿って摺動し、頭部３の縁部１１が第１パネル１３まで達すると、第１係止脚４，４及び第２係止脚５，５は自身の撓みによる応力によって胴部２から遠ざかる方向へ戻る。その結果、図５に示すように、第２係止脚５，５と頭部３の縁部１１とで第１パネル１３を狭持する状態となって、クリップ１が第１パネル１３に取り付けられる。この際、第１係止脚４，４の端部に備えられた係止爪８，８は、取付孔１４の内周面に係止しているため、クリップ１の第１パネル１３に対するがたつきが制限される。
【００１７】
次いで、第１パネル１３に取り付けられたクリップ１に第２パネル１５を取り付けて、第１パネル１３と第２パネル１５とを連結する。第２パネル１５には、クリップ１の頭部３の直径Ａ（図２参照）よりも小さく、第２係止脚５，５の先端間の距離Ｃよりも大きい直径である取付孔１６が穿設されている。そして、クリップ１の胴部２が第２パネル１５の取付孔１６に挿入されるように、第２パネル１５を第１パネル１３に向けて押し込むと（図５における矢印Ｑ方向）、第１係止脚４，４が胴部２側に撓みながら取付孔１６の縁部に沿って摺動する。この際、撓んだ第１係止脚４，４は、第１パネル１３を狭持している第２係止脚５，５に触れることがないため、クリップ１が第１パネル１３の取付孔１４から抜けてしまうことがない。そして、第２パネル１５が第１パネル１３に接面する位置まで達すると、第１係止脚４，４は自身の撓みによる応力によって胴部２から遠ざかる方向へ戻る。その結果、図６に示すように、係止肩７，７が第２パネル１５の取付孔１６の縁部に係合すると共に、第１パネル１３が第２パネル１５に当接することで、係止肩７，７と第１パネル１３とで第２パネル１５を狭持する状態となって、第１パネル１３と第２パネル１５とが連結する。
【００１８】
以上説明したように、本実施の形態に係るクリップ１は、第１係止脚４，４及び第２係止脚５，５が共に頭部３よりも挿入方向側に形成されているため、連結されたパネルの両面からクリップ１の係止脚が突き出てしまうことがない。従って、頭部３側においては、パネルに隣接若しくは配設する物の位置や形状にかかる制約が、係止脚が突き出る場合に比べて少ない。さらに、露出した係止脚によって見栄えを損なうこともない。
【００１９】
また、クリップ１は、第１パネル１３を固定するための第２係止脚５，５と、第２パネル１５を固定するための第１係止脚４，４とを別々に設けている。さらに、第１係止脚４，４の撓み方向を含む仮想平面と、第２係止脚５，５の撓み方向を含む仮想平面とが互いに交差するように形成されている。従って、第２パネル１５をクリップ１に挿入する際に撓む第１係止脚４，４は、第１パネル１３を狭持している第２係止脚５，５に触れないため、クリップ１を頭部３側から押さえておかなくてもクリップ１が抜けることなく、簡単に第１パネル１３と第２パネル１５とを連結することができる。
【００２０】
尚、本発明は上記の実施形態に限定されることなく、各種の変形が可能である。例えば、第１係止脚４，４及び第２係止脚５，５の形状を変更してもよい。図７は、変形例であるクリップ２０の斜視図である。図７に示すように、第２係止脚２５，２５の形状を頭部３側に向けて末広がり状に延びる形状とした場合には、第２係止脚２５，２５は、上記実施の形態におけるクリップ１の第２係止脚５，５に比べて少ない力で胴部２へ向けて撓むことができる。また、上記実施の形態のクリップ１と異なり、変形例のクリップ２０の第２係止脚２５，２５は内側に撓んだまま第１パネルを固定するため、第１パネルに穿設する取付孔の直径を小さくすることができる。
【００２１】
また、本発明に係るクリップが連結できるパネルの枚数は２枚に限られない。例えば、頭部３と第２係止脚５，５との間に複数枚のパネルを固定することもできるし、さらに第１係止脚４，４によって複数枚のパネルを固定することもできる。
【図面の簡単な説明】
【００２２】
【図１】クリップ１を左手斜め前方から見た図である。
【図２】クリップ１の底面図である。
【図３】クリップ１の図１におけるＡ−Ａ線矢視方向断面図である。
【図４】クリップ１の正面図である。
【図５】第１パネル１３及び第２パネル１５を連結するクリップ１の図２におけるＤ−Ｄ線矢視方向断面図である。
【図６】第１パネル１３及び第２パネル１５を連結したクリップ１の図２におけるＥ−Ｅ線矢視方向断面図である。
【図７】変形例であるクリップ２０の斜視図である。
【図８】第１パネル１１１及び第２パネル１１３を連結する従来のクリップ１０１の断面図である。
【符号の説明】
【００２３】
１    クリップ
２    胴部
３    頭部
４    第１係止脚
５    第２係止脚
６    ストッパ
７    係止肩
８    係止爪
１４  取付孔
１６  取付孔
【図１】
2008014376.tif 000003
【図２】
2008014376.tif 000004
【図３】
2008014376.tif 000005
【図４】
2008014376.tif 000006
【図５】
2008014376.tif 000007
【図６】
2008014376.tif 000008
【図７】
2008014376.tif 000009
【図８】
2008014376.tif 000010